(57)【要約】【課題】ハウジングの収納部内に収納されたＩＣカードの保護性能を向上させることができるコネクタ、及び、コネクタのハウジング内に収納されたＩＣカードを容易に取り外すことに貢献できる取外し用工具を提供する。【解決手段】コネクタ１１は、ＩＣカード１００を収納するための収納部２２を有する絶縁性のハウジング１３と、収納部２２内に収納されたＩＣカード１００を覆蓋可能な覆蓋位置と該覆蓋位置から離間した非覆蓋位置との間を個別に回動変位自在に設けられた２つのカバー１４とを備えている。ハウジング１３の右側壁２３及び左側壁２４の各外側面には、２つの係止爪３４が前後方向に沿って突設されている。また、各カバー１４には、各係止爪３４に個別に対応する係止凸部がそれぞれ設けられている。【選択図】図１
2008270081.tif 000002
【特許請求の範囲】
【請求項１】
ＩＣカードを収納するための収納部を有する絶縁性のハウジングと、
前記収納部内に収納された前記ＩＣカードを覆蓋可能な覆蓋位置と該覆蓋位置から離間した非覆蓋位置との間を個別に変位自在に設けられた複数の覆蓋部材と、
前記覆蓋位置に配置された前記各覆蓋部材を前記ハウジングに個別に係止するための係止手段と、
を備えたコネクタ。
【請求項２】
前記各覆蓋部材には、前記収納部内に収納された前記ＩＣカードにおける前記各覆蓋部材により覆蓋される一面を部分的に外部から視認可能とする透口がそれぞれ形成されている請求項１に記載のコネクタ。
【請求項３】
前記ハウジングには、該ハウジングが設置されるプリント基板上に接触する第１接触部と、前記収納部内に収納された前記ＩＣカードに圧接する第２接触部とを有する接触端子が設けられており、
前記第２接触部には、前記ＩＣカードに圧接する複数の圧接部位が前記接触端子の幅方向に沿って分岐した状態で形成され、該各圧接部位は、前記ＩＣカードが前記収納部内に収納される方向とは交差し且つ前記接触端子の幅方向と交差する延設方向に離間した状態で配置されている請求項１又は請求項２に記載のコネクタ。
【請求項４】
前記各覆蓋部材は、前記ハウジングにヒンジ機構を介して個別に連結されている請求項１〜請求項３のうち何れか一項に記載のコネクタ。
【請求項５】
前記ハウジングの外側面には係止爪が突設されると共に、前記各覆蓋部材には前記係止爪に係合可能な係止凸部がそれぞれ突設され、前記係止爪と係止凸部とにより前記係止手段が構成されており、
前記各覆蓋部材には、それぞれの前記係止凸部と該係止凸部に個別に対応する前記係止爪との係合状態を解消させる際に取外し用工具の一部が挿入される被挿入孔がそれぞれ貫通形成されている請求項１〜請求項４のうち何れか一項に記載のコネクタ。
【請求項６】
請求項５に記載のコネクタの前記各覆蓋部材を前記覆蓋位置から前記非覆蓋位置に向けて離間させる際に使用される取外し用工具であって、
前記被挿入孔内に挿入可能な形状をなす挿入部と、
前記被挿入孔内に挿入された前記挿入部によって前記係止凸部と該係止凸部に個別に対応する前記係止爪との係合状態を解消させる際に操作される操作部と
を備えた取外し用工具。
【発明の詳細な説明】
【技術分野】
【０００１】
本発明は、ＩＣカードなどのカードを装着可能なコネクタに関すると共に、該コネクタからＩＣカードを取り外す際に使用される取外し用工具に関する。
【背景技術】
【０００２】
従来、ＣＰＵやメモリなどを内包するＩＣカードをプリント基板などの外部回路に接続するためのコネクタとして、例えば特許文献１に記載のコネクタが提案されている。この特許文献１に記載のコネクタは、四角箱状をなすハウジングを備え、該ハウジングには、ＩＣカードを収納するための収納部が形成されている。また、ハウジングには、その収納部内に収納されたＩＣカードを係止するための係止部として、該ＩＣカードの一端を係止可能な固定式の第１係止部と、該ＩＣカードの他端を係止可能な可動式の第２係止部とが設けられている。
【０００３】
この第２係止部は、収納部内に収納されたＩＣカードの他端を係止可能な係止位置と係止不能な非係止位置との間を移動自在に設けられており、常には係止位置に向けて付勢手段により付勢されている。そして、ハウジングの収納部内にＩＣカードが収納される場合、第２係止部は、そのＩＣカードが一端を第１係止部に係止された傾斜姿勢から水平姿勢となるように収納部内に向けて移動する途中で、そのＩＣカードの他端により押圧されて係止位置から非係止位置に向けて押し退けられるようになっている。その後、ＩＣカードが収納部内に水平姿勢状態となって収納されると、そのＩＣカードの他端による第２係止部への押圧力が解消され、付勢手段から付与される付勢力によって第２係止部が非係止位置から係止位置に戻る結果、ＩＣカードの他端が第２係止部に係止されるようになっていた。
【０００４】
一方、コネクタから収納部内のＩＣカードを取り外す場合は、作業者が、該作業者自身の指で第２係止部を付勢手段による付勢力に抗して係止位置から非係止位置に向けて移動させ、その状態において、ピンセットなどの工具を利用して収納部内のＩＣカードをハウジングから取り外していた。
【特許文献１】特開２００６―５９６００号公報
【発明の開示】
【発明が解決しようとする課題】
【０００５】
ところで、特許文献１に記載のコネクタでは、その収納部内に収納されたＩＣカードが各係止部によって収納部内から外れないように係止されているものの、その収納状態においてＩＣカードはプリント基板と対向しない側の面が剥き出しの状態になっている。そのため、作業者によるＩＣカードの取付作業及び取外し作業時だけではなく、該各作業以外の作業（例えば、他の部品をプリント基板に組み付ける作業）が行なわれる場合に、作業者の指や工具などがＩＣカードの剥き出しになった面に接触するおそれがあった。このような接触があった場合には、作業者の指との接触により静電気がＩＣカードに帯電したり、工具との接触によりＩＣカードが破損したりするおそれがあり、収納部内に収納されたＩＣカードを保護する点で改善の余地があった。
【０００６】
本発明は、このような事情に鑑みてなされたものであり、その第１の目的は、ハウジングの収納部内に収納されたＩＣカードの保護性能を向上させることができるコネクタを提供することにある。また、第２の目的は、コネクタのハウジング内に収納されたＩＣカードを容易に取り外すことに貢献できる取外し用工具を提供することにある。
【課題を解決するための手段】
【０００７】
上記目的を達成するために、コネクタにかかる請求項１に記載の発明は、ＩＣカードを収納するための収納部を有する絶縁性のハウジングと、前記収納部内に収納された前記ＩＣカードを覆蓋可能な覆蓋位置と該覆蓋位置から離間した非覆蓋位置との間を個別に変位自在に設けられた複数の覆蓋部材と、前記覆蓋位置に配置された前記各覆蓋部材を前記ハウジングに個別に係止するための係止手段と、を備えたことを要旨とする。
【０００８】
上記構成によれば、ＩＣカードは、ハウジングの収納部内に各覆蓋部材によって個別に覆蓋された状態で収納される。そのため、ＩＣカードが係止手段に直接係止される従来の場合とは異なり、ＩＣカードが各覆蓋部材に覆蓋された状態になるため、作業者の指や工具などが収納部内に収納されたＩＣカードに接触することが抑制される。したがって、ハウジングの収納部内に収納されたＩＣカードの保護性能を向上させることができる。
【０００９】
請求項２に記載の発明は、請求項１に記載のコネクタにおいて、前記各覆蓋部材には、前記収納部内に収納された前記ＩＣカードにおける前記各覆蓋部材により覆蓋される一面を部分的に外部から視認可能とする透口がそれぞれ形成されていることを要旨とする。
【００１０】
上記構成によれば、ＩＣカードの一面にマークなどが設けられていた場合には、そのマークなどを各覆蓋部材に形成された透口から視認することができる。そのため、収納部内に収納されたＩＣカードの向きが正しいか否かなどを容易に確認できる。
【００１１】
請求項３に記載の発明は、請求項１又は請求項２に記載のコネクタにおいて、前記ハウジングには、該ハウジングが設置されるプリント基板上に接触する第１接触部と、前記収納部内に収納された前記ＩＣカードに圧接する第２接触部とを有する接触端子が設けられており、前記第２接触部には、前記ＩＣカードに圧接する複数の圧接部位が前記接触端子の幅方向に沿って分岐した状態で形成され、該各圧接部位は、前記ＩＣカードが前記収納部内に収納される方向とは交差し且つ前記接触端子の幅方向と交差する延設方向に離間した状態で配置されていることを要旨とする。
【００１２】
上記構成によれば、収納部内に収納されたＩＣカードと接触端子との圧接箇所が一箇所の場合に比して、圧接箇所が増えた分だけ接触端子とＩＣカードとの接触状態の信頼性を向上させることができる。また、接触端子の第２接触部の各圧接部位は、延設方向に離間している。そのため、各圧接部位の共振周波数を圧接部位毎に異ならせることができるため、ＩＣカードとの耐瞬断性能を向上させることできる。
【００１３】
請求項４に記載の発明は、請求項１〜請求項３のうち何れか一項に記載のコネクタにおいて、前記各覆蓋部材は、前記ハウジングにヒンジ機構を介して個別に連結されていることを要旨とする。
【００１４】
上記構成によれば、各覆蓋部材がヒンジ機構を介してハウジングに個別に連結されているため、各覆蓋部材の紛失が抑制される。
請求項５に記載の発明は、請求項１〜請求項４のうち何れか一項に記載のコネクタにおいて、前記ハウジングの外側面には係止爪が突設されると共に、前記各覆蓋部材には前記係止爪に係合可能な係止凸部がそれぞれ突設され、前記係止爪と係止凸部とにより前記係止手段が構成されており、前記各覆蓋部材には、それぞれの前記係止凸部と該係止凸部に個別に対応する前記係止爪との係合状態を解消させる際に取外し用工具の一部が挿入される被挿入孔がそれぞれ貫通形成されていることを要旨とする。
【００１５】
上記構成によれば、覆蓋部材に形成された被挿入孔内に取外し用工具の一部を挿入させることにより、覆蓋部材の係止凸部とハウジングの係止爪との係合状態を容易に解消させることができる。
【００１６】
一方、取外し用工具にかかる請求項６に記載の発明は、請求項５に記載のコネクタの前記各覆蓋部材を前記覆蓋位置から前記非覆蓋位置に向けて離間させる際に使用される取外し用工具であって、前記被挿入孔内に挿入可能な形状をなす挿入部と、前記被挿入孔内に挿入された前記挿入部によって前記係止凸部と該係止凸部に個別に対応する前記係止爪との係合状態を解消させる際に操作される操作部とを備えたことを要旨とする。
【００１７】
上記構成によれば、覆蓋部材に形成された被挿入孔内に取外し用工具の挿入部を挿入した状態で操作部が操作されることにより、覆蓋部材の係止凸部とハウジングの係止爪との係合状態を容易に解消させることができる。したがって、コネクタのハウジング内に収納されたＩＣカードを容易に取り外すことに貢献できる。
【発明の効果】
【００１８】
本発明によれば、ハウジングの収納部内に収納されたＩＣカードの保護性能を向上させることができると共に、コネクタのハウジング内に収納されたＩＣカードを容易に取り外すことに貢献できる。
【発明を実施するための最良の形態】
【００１９】
以下、本発明を具体化した一実施形態を図１〜図１３に従って説明する。なお、以下における本明細書中の説明において、「上下方向」、「左右方向」、「前後方向」は図１における上下方向、左右方向、前後方向（同図に矢印で示す）をそれぞれ示すものとする。
【００２０】
図１及び図２に示すように、本実施形態のコネクタ１１は、プリント基板１２上に実装されるものである。このコネクタ１１は、絶縁材料（例えば、合成樹脂）からなるハウジング１３と、絶縁材料からなる複数（本実施形態では２つ）のカバー（覆蓋部材）１４と、複数種類（本実施形態では２種類）の金属端子（接続端子）１５，１６とを備えた構成とされている。
【００２１】
ハウジング１３は、その上部に開口部２０を有する四角箱状をなしており、その下壁（底壁）２１がプリント基板１２と相対している。そして、ハウジング１３内には、略矩形板状をなすＩＣカード１００（例えば、小型メモリカード）に対応した形状をなす収納部２２が形成されており、該収納部２２内には、ハウジング１３の上方から開口部２０を介してＩＣカード１００が挿入されるようになっている。なお、本実施形態のＩＣカード１００の厚みは、略「１．１ｍｍ」に設定されている。
【００２２】
ハウジング１３の右側壁２３及び左側壁２４の前後方向における両端部には、ＩＣカード１００を収納部２２内に案内するための第１案内部２５がそれぞれ設けられている。また、ハウジング１３の右側壁２３及び左側壁２４の前後方向における中央部分には、ＩＣカード１００を収納部２２内に案内するための第２案内部２６がそれぞれ設けられており、該各第２案内部２６は、それぞれの左右方向における幅が第１案内部２５の左右方向における幅よりも広くなるようにそれぞれ形成されている。各第１案内部２５の内側面は、それぞれの下側部位の方が上側部位よりもハウジング１３の左右方向における中央側に位置するように形成された案内面としての傾斜面２７とされている。また、各第２案内部２６の内側面は、それぞれの下側部位の方が上側部位よりもハウジング１３の左右方向における中央側に位置するように形成された案内面としての傾斜面２８とされている。
【００２３】
ハウジング１３の前側壁３０及び後側壁３１の上端面には、図３に示すように、複数（本実施形態では２つ）の第３案内部３２が左右方向に沿ってそれぞれ突設されている。これら各第３案内部３２の内側面は、それぞれの下側部位の方が上側部位よりもハウジング１３の前後方向における中央側に位置するように形成された案内面としての傾斜面３３とされている。なお、各第３案内部３２は、それぞれの左右方向における幅が第１案内部２５の前後方向における幅よりも広く且つ第２案内部２６の前後方向における幅よりも狭くなるようにそれぞれ形成されている。
【００２４】
ハウジング１３の右側壁２３及び左側壁２４の外側面には、第２案内部２６を前後方向の両側から挟むような配置態様で複数（本実施形態では２つ）の係止爪３４がそれぞれ突設されている。なお、各係止爪３４は、図４に示すように、右側壁２３及び左側壁２４の上下方向における中心部にそれぞれ配置されている。
【００２５】
また、ハウジング１３の前側壁３０及び後側壁３１の各左右両端面には、図３に示すように、互いに離間する方向に突出する略円柱形状の突起３５がそれぞれ突設されている。なお、これら各突起３５のうち前側壁３０に設けられた両突起３５は、前側壁３０に設けられた各第３案内部３２よりも前側にそれぞれ配置される一方、後側壁３１に設けられた両突起３５は、後側壁３１に設けられた各第３案内部３２よりも後側にそれぞれ配置されている。
【００２６】
ハウジング１３の下壁２１には、口形状が矩形状をなす複数（本実施形態では２つ）の貫通孔３６が前後方向に所定間隔をおいてそれぞれ貫通形成されている。すなわち、本実施形態のハウジング１３の下壁２１は、前後両側を貫通孔３６に挟まれた下壁中央部３８と、後側が貫通孔３６に臨むと共に前側がハウジング１３の前側壁３０に連続する下壁前側部３９と、前側が貫通孔３６に臨むと共に後側がハウジング１３の後側壁３１に連続する下壁後側部４０とから構成されている。
【００２７】
次に、各カバー１４について以下説明する。
各カバー１４は、図１及び図５に示すように、外郭形状がハウジング１３の開口部２０のうち前半分又は後半分の形状に対応した覆蓋部４７をそれぞれ備えている。これら各覆蓋部４７の基端部（図１では下端部）４６には、ハウジング１３の前側壁３０又は後側壁３１の左右両端面に形成された両突起３５に嵌合する左右一対の嵌合部４５がそれぞれ形成されている。そして、各カバー１４は、該各カバー１４の両嵌合部４５がハウジング１３側の対応する両突起３５に嵌合した状態で、両突起３５を通る各軸線を中心にそれぞれ回動変位するようになっている。したがって、本実施形態では、ハウジング１３の両突起３５及び該両突起３５に対応する両嵌合部４５により、ハウジング１３と各カバー１４とを個別に連結するヒンジ機構が構成されている。なお、本実施形態では、各カバー１４は、それぞれの回動の中心となる両突起３５を回動の中心として図２に示す位置から「１００」度程度回動するようになっている。
【００２８】
各カバー１４の覆蓋部４７は、平面視略コ字状をなしており、それぞれの基端部４６に連続すると共に左右方向に延びる第１押圧部４８と、該第１押圧部４８の左右両端部から先端側（図１では上方）に延びる第２押圧部４９とをそれぞれ備えている。そして、図２に示すように、各カバー１４の覆蓋部４７が共に水平状態（即ち、各覆蓋部４７がプリント基板１２に対して略平行状態）になった場合、この状態で互いに対向する第２押圧部４９の先端同士の間には、僅かな隙間が介在するようになっている。なお、以降の記載において、各カバー１４の第２押圧部４９の先端同士が対向するような位置（即ち、図２に示すような位置）のことを、「覆蓋位置」というものとする。
【００２９】
また、各カバー１４の覆蓋部４７には、該各カバー１４がそれぞれ覆蓋位置に位置した場合に第１押圧部４８と両第２押圧部４９とに包囲されて矩形状の開口を形成する透口５０がそれぞれ形成されている。そのため、各カバー１４が覆蓋位置に配置された場合であっても、ハウジング１３の収納部２２内は、各カバー１４の透口５０を介して視認することが可能である。なお、各カバー１４の各透口５０は、各カバー１４が覆蓋位置にそれぞれ配置された場合に連通することになる。
【００３０】
各覆蓋部４７の第１押圧部４８には、前後方向における各側壁３０，３１に形成された各第３案内部３２に対応した各位置に回避孔５１がそれぞれ貫通形成されている。そして、各カバー１４が覆蓋位置にそれぞれ配置された場合には、各回避孔５１内に該各回避孔５１に個別対応する各第３案内部３２が収容された状態になるため、各カバー１４と各第３案内部３２との接触が回避されるようになっている。
【００３１】
各覆蓋部４７の各第２押圧部４９には、各カバー１４が覆蓋位置にそれぞれ配置された場合に、側壁２３，２４の上端面に個別に対応する上面側部位５２と、該各第２押圧部４９が個別対向する左右方向における側壁２３，２４の外側面に相対する外面側部位５３とがそれぞれ設けられている。これら各外面側部位５３には、左右方向における各側壁２３，２４に設けられた係止爪３４に個別に対応する係止凸部５４がそれぞれ突設されており、各係止凸部５４と該各係止凸部５４に個別に対応する係止爪３４とが係合状態になった場合に、各カバー１４は、覆蓋位置から図１に示す位置（以下、「非覆蓋位置」という。）に向けて回動変位することが規制される。したがって、本実施形態では、各係止爪３４及び該各係止爪３４に個別に対応する各係止凸部５４により、覆蓋位置に配置された各カバー１４をハウジング１３に個別に係止するための係止手段が構成されている。
【００３２】
また、各覆蓋部４７の各第２押圧部４９には、図４に示すように、それぞれの外面側部位５３と該各外面側部位５３に個別に相対する左右方向における側壁２３，２４の外側面との間に形成された隙間の上方に位置する被挿入孔５５がそれぞれ貫通形成されている。これら各被挿入孔５５は、前後方向に延びる長孔状にそれぞれ形成されている。
【００３３】
次に、各金属端子１５，１６について順番に以下説明する。
各金属端子１５，１６のうち下壁中央部３８に支持される第１金属端子１５は、短冊状の金属片を曲げ加工することにより形成されている。すなわち、図６に示すように、第１金属端子１５の長手方向における中途部位には、下壁中央部３８に支持される支持部６０が形成されると共に、第１金属端子１５の一方側端部は、プリント基板１２上の図示しないパターンに半田付け処理される第１接触部６１とされている。また、第１金属端子１５において支持部６０の他方側は、略Ｕ字状をなすように曲げ加工が施されており、該曲げ加工が施された部位よりも更に他方側には、ハウジング１３の収納部２２内に収納されたＩＣカード１００に接触するための第２接触部６２が形成されている。
【００３４】
この第２接触部６２には、第１金属端子１５の他方側端部を幅方向に沿って複数（本実施形態では２つ）に分岐することにより、第１圧接部位６３及び第２圧接部位６４が左右方向に並列状態となるように形成されている。これら各圧接部位６３，６４の長手方向における中途部位は、最も上方に位置する頂上部６５，６６とされており、該各頂上部６５，６６は、収納部２２内に収納されたＩＣカード１００のパターンに圧接可能とされている。また、第１圧接部位６３は、その一方側端部から頂上部６５までの距離Ｌ１が第２圧接部位６４の一方側端部から頂上部６６までの距離Ｌ２よりも長くなるように形成されている。すなわち、本実施形態では、一つの第１金属端子１５の各圧接部位６３，６４は、ＩＣカード１００が収納部２２内に収納される方向（即ち、上下方向）に交差し、且つ第１金属端子１５の幅方向（即ち、左右方向）に交差する延設方向（即ち、前後方向）に離間した位置でＩＣカード１００のパターンにそれぞれ圧接するようになっている。
【００３５】
一方、下壁前側部３９及び下壁後側部４０に支持される第２金属端子１６は、短冊状の金属片を曲げ加工することにより形成されている。すなわち、図７に示すように、第２金属端子１６の長手方向における中途部位には、下壁前側部３９（若しくは下壁後側部４０）に支持される支持部７０が形成されると共に、第２金属端子１６の一方側端部は、プリント基板１２上の図示しないパターンに半田付け処理される第１接触部７１とされている。また、第２金属端子１６において支持部７０の他方側には、該支持部７０よりも上方に向けて延びる第２接触部７２が形成されている。
【００３６】
この第２接触部７２の他方側端部には、第２金属端子１６を幅方向に沿って複数（本実施形態では２つ）に分岐することにより、第１圧接部位７３及び第２圧接部位７４が左右方向に並列状態となるように形成されている。これら各圧接部位７３，７４の長手方向における中途部位は、最も上方に位置する頂上部７５，７６とされており、該各頂上部７５，７６は、収納部２２内に収納されたＩＣカード１００のパターンに圧接可能とされている。また、第１圧接部位７３は、第２接触部７２の一方側端部（即ち、支持部７０との連結部位）から頂上部７５までの距離Ｌ３が第２接触部７２の一方側端部から第２圧接部位７４の頂上部７６までの距離Ｌ４よりも長くなるように形成されている。すなわち、本実施形態では、一つの第２金属端子１６の各圧接部位７３，７４は、ＩＣカード１００が収納部２２内に収納される方向（即ち、上下方向）に交差し、且つ第２金属端子１６の幅方向（即ち、左右方向）に交差する延設方向（即ち、前後方向）に離間した位置でＩＣカード１００にそれぞれ圧接するようになっている。
【００３７】
また、本実施形態のＩＣカード１００の下面には、該ＩＣカード１００が収納部２２内に収納された場合に、ハウジング１３に設けられた各金属端子１５，１６の第２接触部６２，７２に個別に対応する図示しないパターンが形成されている。また、ＩＣカード１００の上面（一面）１０１の前側において左右方向における略中央部分には、三角形状をなすマーク１０２が設けられている。このマーク１０２は、ＩＣカード１００が収納部２２内に収納された場合であっても、カバー１４の覆蓋部４７に形成された透口５０を介して外部から視認可能とされている。なお、本実施形態では、収納部２２内に収納されたＩＣカード１００の下面とハウジング１３の下壁２１の上面２１Ａとの間に僅かな隙間が形成されており、ＩＣカード１００の厚み寸法の誤差（公差）が許容されるようになっている。
【００３８】
次に、ハウジング１３の収納部２２内に収納されたＩＣカード１００をハウジング１３から取り外す際に使用される取外し用工具８０について以下説明する。
図８に示すように、取外し用工具８０は、正面視略逆Ｕ字状をなす操作部８１と、該操作部８１が操作された際にハウジング１３の各係止爪３４と該各係止爪３４に個別対応するカバー１４の係止凸部５４との係合状態を解消させるべく作用する作用部８２とを備えている。この作用部８２には、操作部８１の一方側の端部から下方に向けて延びる第１延設部８３と、操作部８１の他方側の端部から下方に向けて延びる第２延設部８４と、各延設部８３，８４の上端同士を互いに連結する連結部８５とが設けられている。
【００３９】
この連結部８５は、十字状に形成されており、その左右方向に延びる部位の両端部が各延設部８３，８４の上端に連結している。また、連結部８５の前後方向に延びる部位の両端部には、該両端部から下方に向けて延びる位置決め部８６がそれぞれ設けられており、該各位置決め部８６の上下方向における長さを調節することにより、各延設部８３，８４の上下方向における位置調整が行われるようになっている。
【００４０】
各延設部８３，８４には、下方に向けて延びる複数（本実施形態では２つ）の挿入部８７，８８が前後方向に沿うようにそれぞれ分岐形成されている。各挿入部８７のうち前側に位置する前側挿入部８７の下端は、覆蓋位置に配置された各カバー１４のうち前側に位置するカバー１４の被挿入孔５５内に挿入されるようになっている。また、後側に位置する後側挿入部８８の下端は、覆蓋位置に配置された各カバー１４のうち後側に位置するカバー１４の被挿入孔５５内に挿入されるようになっている。
【００４１】
なお、本実施形態では、各位置決め部８６にて調整することにより、各延設部８３，８４は、ハウジング１３の係止爪３４やカバー１４の係止凸部５４に当接しないようになっている。すなわち、図９に示すように、挿入部８７，８８の下端は、カバー１４の被挿入孔５５内に挿入された場合に、係止爪３４の直上位置に位置するようになっている。
【００４２】
次に、本実施形態のコネクタ１１にＩＣカード１００を取り付ける際の作用、及びコネクタ１１からＩＣカード１００を取り外す際の作用を中心に図１０〜図１３に基づき以下説明する。
【００４３】
さて、ハウジング１３の収納部２２内にＩＣカード１００を収納する場合、まず、各カバー１４は、それぞれの先端を上方に指向させるようにそれぞれ回動変位させられる（図１参照）。すなわち、各カバー１４は、上記非覆蓋位置までそれぞれ回動変位させられる。そして次に、ＩＣカード１００は、図１０に示すように、ハウジング１３の上方から開口部２０を介して収納部２２内に挿入される。すると、ＩＣカード１００は収納部２２内に収納され、該ＩＣカード１００の下面に形成された各パターン（図示略）とには、ハウジング１３内において下壁２１の上面２１Ａよりも上方に位置する各金属端子１５，１６の第２接触部６２，７２（より詳しくは、各圧接部位６３，６４，７３，７４）とがそれぞれ接触する。
【００４４】
そして次に、非覆蓋位置に位置する各カバー１４が、覆蓋位置に向けてそれぞれ回動変位させられる。すなわち、図１０に示すように、作業者は、図示しないエアピンセットで収納部２２内に収納されたＩＣカード１００を下方に押さえつけ、その状態で各カバー１４の何れか一つのカバー１４（例えば、後側に配置されたカバー１４）を覆蓋位置に向けて回動変位させる。
【００４５】
そして、カバー１４の回動変位によって該カバー１４の各係止凸部５４が該係止凸部５４に個別対応する係止爪３４の直下位置にまで移動すると、各係止凸部５４が各係止爪３４に係合した状態になる。そのため、カバー１４は、ハウジング１３に対して回動不能に係止される。この際、カバー１４の覆蓋部４７は、収納部２２内に収納されたＩＣカード１００の後半分を覆蓋すると共に、該ＩＣカード１００を下方に押圧する。
【００４６】
そして次に、作業者は、残りのカバー１４を覆蓋位置に向けて回動変位させ、該カバー１４の各係止凸部５４が該係止凸部５４に個別対応する係止爪３４の直下位置にまで移動すると、各係止凸部５４が各係止爪３４に係合した状態になる。すなわち、カバー１４は、ハウジング１３に対して回動不能に係止される。すると、カバー１４の覆蓋部４７は、収納部２２内に収納されたＩＣカード１００の前半分を覆蓋すると共に、該ＩＣカード１００を下方に押圧する。したがって、収納部２２内に収納されたＩＣカード１００は、各カバー１４によって下方に押圧されることにより、収納部２２から外れることが抑制される（図２参照）。
【００４７】
また、この状態では、ＩＣカード１００に接触する各金属端子１５，１６は、それぞれ下方に撓むことになる。すなわち、各金属端子１５，１６の各圧接部位６３，６４，７３，７４がそれぞれ下方に変位することにより、各金属端子１５，１６の各圧接部位６３，６４，７３，７４は、ＩＣカード１００にそれぞれ圧接することになる。
【００４８】
一方、収納部２２内に収納されたＩＣカード１００を取り外す場合には、上述した取外し用工具８０が使用される。すなわち、図９に示すように、各カバー１４の各被挿入孔５５内には、取外し用工具８０の各挿入部８７，８８の下端がそれぞれ挿入される。この状態で、図１２（ａ）に示すように、取外し用工具８０の操作部８１の左右方向における幅が狭くなるように操作部８１が操作されると、作用部８２の第１延設部８３及び第２延設部８４は、図１２（ｂ）に示すように、連結部８５を支点として互いに離間する方向に変位する。すると、図１３に示すように、各カバー１４の各第２押圧部４９の外面側部位５３は、各延設部８３，８４の変位に基づく該各延設部８３，８４からの押圧力によって、図１３の矢印方向に変位する。すなわち、各カバー１４の各覆蓋部４７は、一時的に左右方向に拡がった状態になる。
【００４９】
すると、各係止爪３４と該各係止爪３４に個別対応する各係止凸部５４との係合状態がそれぞれ解消される。そして、この状態で取外し用工具８０を上方に移動させると、覆蓋位置に位置していた各カバー１４は、覆蓋位置から上方に向けて回動変位する。その結果、各係止凸部５４は、該各係止凸部５４が個別対応する各係止爪３４の上方に移動するため、各カバー１４とハウジング１３との係止状態が、完全に解消される。そして、各カバー１４が図１０に示す非覆蓋位置まで回動変位させられた後、収納部２２内のＩＣカード１００は、図示しない工具（エアピンセットなど）によって収納部２２から取り外される。
【００５０】
したがって、本実施形態では、以下に示す効果を得ることができる。
（１）ＩＣカード１００は、ハウジング１３の収納部２２内に各カバー（覆蓋部材）１４によって覆蓋された状態で収納される。そのため、ＩＣカード１００が係止手段に直接係止される従来の場合とは異なり、ＩＣカード１００が各カバー１４に上方から覆蓋された状態になるため、作業者の指や工具などが収納部２２内に収納されたＩＣカード１００に接触することが抑制される。したがって、ハウジング１３の収納部２２内に収納されたＩＣカード１００の保護性能を向上させることができる。
【００５１】
（２）また、本実施形態では、収納部２２内に収納されたＩＣカード１００は、その全体が各カバー１４の覆蓋部４７に覆蓋されて下方に押さえつけられる。したがって、ＩＣカード１００全体に各カバー１４からの下方への押圧力を均一に付与することができる。
【００５２】
（３）各カバー（覆蓋部材）１４には、透口５０がそれぞれ形成されているため、各カバー１４が覆蓋位置にそれぞれ配置された状態であっても外部から収納部２２内を視認することができる。そのため、正しい配置態様（即ち、マーク１０２が前側に位置するような配置態様）でＩＣカード１００が収納部２２内に収納されているか否かを、各カバー１４を覆蓋位置に配置した状態のままで確認できる。
【００５３】
（４）各金属端子（接触端子）１５，１６は、それぞれの第２接触部６２，７２が２つの圧接部位６３，７３に分岐されているため、１つの金属端子１５，１６とＩＣカード１００との圧接部位は、２箇所になる。そのため、ＩＣカード１００と１つの金属端子１５，１６との圧接部位が１箇所の場合に比して、圧接箇所が増えた分だけ金属端子１５，１６とＩＣカード１００との接触状態の信頼性を向上させることができる。また、金属端子１５，１６の第２接触部６２，７２の第１圧接部位６３，７３及び第２圧接部位６４，７４は、上下方向に交差し且つ左右方向に交差する前後方向（延設方向）に離間している。そのため、第１圧接部位６３，７３と第２圧接部位６４，７４との共振周波数を異ならせることができるため、ＩＣカード１００との耐瞬断性能を向上させることできる。
【００５４】
（５）各カバー（覆蓋部材）１４がヒンジ機構を介してハウジング１３に個別に連結されているため、各カバー１４の紛失を抑制できる。
（６）ハウジング１３の各側壁２３，２４，３０，３１には、ＩＣカード１００を収納部２２内に案内するための傾斜面（案内面）２７，２８，３３がそれぞれ設けられている。そのため、ＩＣカード１００をハウジング１３の収納部２２内に確実に案内して収納することができる。
【００５５】
（７）収納部２２内に収納されたＩＣカード１００の下面とハウジング１３の下壁２１の上面２１Ａとの間には隙間が介在している。そのため、ＩＣカード１００の厚みが「１．１ｍｍ」よりも多少厚くても、その厚みが上記隙間の間隔で許容できる場合においては、そのＩＣカード１００を収納部２２内に収納することができる。
【００５６】
（８）カバー（覆蓋部材）１４に形成された被挿入孔５５内に取外し用工具８０の延設部８３，８４の下端を挿入させ、その状態で取外し用工具８０の操作部８１を操作することにより、各カバー１４の各係止凸部５４とハウジング１３の各係止爪３４との係合状態が容易に解消される。したがって、取外し用工具８０を使用することにより、収納部２２内に収納されているＩＣカード１００をハウジング１３から容易に取り外すことができる。
【００５７】
（９）また、本実施形態の取外し用工具８０は、位置決め部８６にて上下方向における位置調整を行うことにより、各挿入部８７，８８の下端が係止爪３４に接触することを回避することができる。したがって、取外し用工具８０を使用して各係止爪３４と該各係止爪３４に個別対応する各係止凸部５４との係合状態を解消する際に、各係止爪３４が、取外し用工具８０の各挿入部８７，８８の下端と接触することにより破損してしまうことを抑制できる。
【００５８】
なお、上記実施形態は以下のような別の実施形態に変更してもよい。
・上記実施形態において、取外し用工具８０は、覆蓋位置に位置する各カバー１４を覆蓋位置から非覆蓋位置に向けて回動変位させることが可能な構成ではなく、覆蓋位置に位置するカバー１４を１つずつ覆蓋位置から非覆蓋位置に向けて回動変位させるような構成であってもよい。この場合、取外し用工具８０の各延設部８３，８４には、一つの挿入部が設けられることが望ましい。
【００５９】
・上記実施形態において、ハウジング１３の右側壁２３及び左側壁２４は、第１案内部２５及び第２案内部２６のうち何れか一方の案内部のみが設けられた構成であってもよい。このように構成しても、ＩＣカード１００を、ハウジング１３の右側壁２３及び左側壁２４に設けられた案内部（第１案内部２５又は第２案内部２６）によって収納部２２内に確実に案内できる。
【００６０】
・上記実施形態において、ハウジング１３の前側壁３０及び後側壁３１は、任意数（例えば、１つや３つ）の第３案内部３２が設けられた構成であってもよい。
・上記実施形態において、ハウジング１３には、案内部を設けなくてもよい。この場合、収納部２２内にＩＣカード１００が収納されたことを確認してから、各カバー１４を覆蓋位置に向けて回動変位させるようにすることが望ましい。
【００６１】
・上記実施形態において、カバー１４は、２箇所以外の任意数の箇所（例えば４箇所）でハウジング１３に対して係止されるような構成であってもよい。この場合、ハウジング１３の右側壁２３及び左側壁２４の各外側面には、４つの係止爪３４がそれぞれ突設されると共に、各カバー１４には、右側壁２３及び左側壁２４の各外側面に設けられた各係止爪３４に対応する位置に係止凸部５４を各別に設けることが望ましい。
【００６２】
・上記実施形態において、第１金属端子１５は、第１圧接部位６３の一方側端部から頂上部６５までの距離Ｌ１と第２圧接部位６４の一方側端部から頂上部６６までの距離Ｌ２とが同じとなるように構成されたものであってもよい。この場合、第１金属端子１５の各頂上部６５，６６は、前後方向において同一位置に配置されることになる。同様に、第２金属端子１６は、第２接触部７２の一方側端部から第１圧接部位７３の頂上部７５までの距離Ｌ３が第２接触部７２の一方側端部から第２圧接部位７４の頂上部７６までの距離Ｌ４と同じとなるように構成されたものであってもよい。上記のように構成しても、１つの金属端子１５，１６は、ＩＣカード１００と２箇所で圧接するため、ＩＣカード１００との圧接部位が１箇所の場合に比して接触状態の信頼性を向上させることができる。
【００６３】
・また、１つの金属端子１５，１６の第２接触部６２，７２は、幅方向に３つ以上に分岐された構成であってもよい。この場合、１つの金属端子１５，１６とＩＣカード１００との圧接箇所は、３箇所以上になる。
【００６４】
・その一方で、金属端子１５，１６の第２接触部６２，７２は、幅方向に分岐させなくてもよい。この場合、１つの金属端子１５，１６とＩＣカード１００との圧接箇所は、１箇所になる。このように構成しても、収納部２２内に収納されたＩＣカード１００と各金属端子１５，１６との接触状態は、良好に維持される。
【００６５】
・上記実施形態において、コネクタ１１は、各カバー１４のうち何れか一方のカバー１４（例えば前側に位置するカバー１４）にのみ透口５０が設けられた構成であってもよい。少なくとも前側に位置するカバー１４に透口５０が設けられていれば、ＩＣカード１００の上面１０１に付されたマーク１０２を外部から視認することができる。
【００６６】
・また、カバー１４には、透口５０が設けられていない構成であってもよい。
次に、上記各実施形態及び別の実施形態から把握できる技術的思想（イ）について以下に追記する。
【００６７】
（イ）前記ハウジング内には、前記ＩＣカードを前記収納部内に案内するための案内面が形成されている請求項１〜請求項５のうち何れか一項に記載のコネクタ。
【図面の簡単な説明】
【００６８】
【図１】本実施形態のコネクタの斜視図。
【図２】収納部内にＩＣカードが収納された状態を示す斜視図。
【図３】ハウジングの斜視図。
【図４】係止爪と係止凸部との係合状態を示す概略断面図。
【図５】カバーの斜視図。
【図６】第１金属端子の斜視図。
【図７】第２金属端子の斜視図。
【図８】本実施形態の取外し用工具の概略斜視図。
【図９】取外し用工具における延設部の下端が被挿入孔内に挿入された状態を示す概略断面図。
【図１０】収納部内にＩＣカードが収納された状態を示す斜視図。
【図１１】カバーが非覆蓋位置から覆蓋位置に向けて回動変位した状態を示す概略側面図。
【図１２】（ａ）（ｂ）は、取外し用工具の作用を説明するための模式図。
【図１３】係止爪と係止凸部との係合状態が解消された状態を示す概略断面図。
【符号の説明】
【００６９】
１１…コネクタ、１２…プリント基板、１３…ハウジング、１４…カバー（覆蓋部材）、１５，１６…金属端子（接続端子）、２２…収納部、２７，２８，３３…案内面、３４…係止爪（係止手段）、３５…突起（ヒンジ機構）、４５…嵌合部（ヒンジ機構）、５０…透口、５４…係止凸部（係止手段）、５５…被挿入孔、６１，７１…第１接触部、６２，７２…第２接触部、６３，６４，７３，７４…圧接部位、８０…取外し用工具、８１…操作部、８７，８８…挿入部、１００…ＩＣカード、１０１…上面（一面）。
【図１】
2008270081.tif 000003
【図２】
2008270081.tif 000004
【図３】
2008270081.tif 000005
【図４】
2008270081.tif 000006
【図５】
2008270081.tif 000007
【図６】
2008270081.tif 000008
【図７】
2008270081.tif 000009
【図８】
2008270081.tif 000010
【図９】
2008270081.tif 000011
【図１０】
2008270081.tif 000012
【図１１】
2008270081.tif 000013
【図１２】
2008270081.tif 000014
【図１３】
2008270081.tif 000015